(57)【要約】      （修正有）【課題】今まで自動販売機では販売できなかった商品を販売可能にすると共に、売上管理を容易にすることで自動販売機オーナーにとって、より使い勝手の良いロッカー型自動販売機を提供する。【解決手段】動販売機・券売機から自動販売機・券売機における金銭機構である紙幣・硬貨識別機および記憶機構であるコントローラーを取り外し、それらと商品選択ボタンを組み合わせて新たに製作した紙幣・硬貨識別機および商品選択ボタンユニット２を、ロッカー型自動販売機もしくは冷蔵庫および冷凍庫の庫内に間仕切りを設け、さらには扉・ケーシングを取り付けることによりロッカー３とすることで、冷蔵・冷凍装置を備えたロッカーはめ込み型自動販売機に取り付けることにより、紙幣対応可能でかつ売上集計機能を備えた。【選択図】図１
0003216347.tif 000002
【実用新案登録請求の範囲】
【請求項１】
既存の自動販売機・券売機から紙幣・硬貨識別機やコントローラー等、自動販売機・券売機における金銭機構および記憶機構に関する機器を取り外し、それらと商品選択ボタンを組み合わせて新たに製作した紙幣・硬貨識別機および商品選択ボタンユニットを、既存のロッカー型自動販売機もしくは既存の冷蔵庫や冷凍庫の庫内を改造した「ロッカーはめ込み型自動販売機」（実用新案登録第３２０８９０１号）に取り付けることにより、紙幣対応可能でかつ売上集計機能を備えた紙幣・硬貨識別機および商品選択ボタンユニット取付型ロッカー型自動販売機。
【考案の詳細な説明】
【技術分野】
【０００１】
自動販売機
【背景技術】
【０００２】
現存する野菜・果物・たまご等を販売するためのロッカー型自動販売機や、既存の冷蔵庫や冷凍庫の庫内を改造した「ロッカーはめ込み型自動販売機」（実用新案登録第３２０８９０１号）における金銭機構としては、ケーシング（硬貨の投入装置および錠前）が付いているのみであることから、紙幣の受け入れができず、結果として高額商品を販売することが困難となっている。また、売上集計機能がないことから、自動販売機オーナーにとっては売上管理の面で課題が残っているのが現状である。
【考案の概要】
【考案が解決しようとする課題】
【０００３】
本考案は、既存の自動販売機・券売機にて使用されている機器および商品選択ボタンと同様のものを使用し、あらたに紙幣・硬貨識別機および商品選択ボタンユニットを製作し、それをロッカー型自動販売機もしくは既存の冷蔵庫や冷凍庫の庫内を改造した「ロッカーはめ込み型自動販売機」（実用新案登録第３２０８９０１号）に取り付けることにより、ロッカー型自動販売機でありながら紙幣対応が可能でかつ売上集計機能を備えたものとした。
【０００４】
本考案は、既存の自動販売機・券売機にて使用されている機器および商品選択ボタンと同様のものを活用し、あらたに紙幣・硬貨識別機および商品選択ボタンユニットを製作し、それをロッカー型自動販売機もしくは既存の冷蔵庫や冷凍庫の庫内を改造した「ロッカーはめ込み型自動販売機」（実用新案登録第３２０８９０１号）に取り付けるのみであることから、製作コストを抑えることができる。また、新たに製造・開発した場合と比して、本体価格を安くすることが可能となる。
【課題を解決するための手段】
【０００５】
本考案は上記の課題を解決するために、既存の自動販売機・券売機から紙幣・硬貨識別機やコントローラー等、自動販売機・券売機における金銭機構および記憶機構に関する機器を取り外し、それらと商品選択ボタンを組み合わせて新たに製作した紙幣・硬貨識別機および商品選択ボタンユニットを既存のロッカー型自動販売機もしくは既存の冷蔵庫や冷凍庫の庫内を改造した「ロッカーはめ込み型自動販売機」（実用新案登録第３２０８９０１号）に取り付けることにより、紙幣対応可能でかつ売上集計機能を備えたロッカー型自動販売機とした。
【考案の効果】
【０００６】
紙幣・硬貨識別機および商品選択ボタンユニット取付型ロッカー型自動販売機により、従来のロッカー型自動販売機では販売が困難であった高額商品も販売できるようになる。また、売上集計機能を有することで、自動販売機オーナーによる売上管理を容易にすることが可能となる。さらに、金銭投入口をロッカーの外に設けることからケーシングが不要となり、それにより１個あたりのロッカーを大きくすることができ、より様々な商品を販売することが可能となる。
【図面の簡単な説明】
【０００７】
【図１】紙幣・硬貨識別機および商品選択ボタンユニット取付型自動販売機
【図２】紙幣・硬貨識別機および商品選択ボタンユニット（テンキー型）
【図３】紙幣・硬貨識別機および商品選択ボタンユニット（押しボタン型）
【図４】ロッカー扉拡大図（扉番号）
【図５】自動販売機内部構造フローチャート
【図６】紙幣・硬貨識別機および商品選択ユニット内部構造
【考案を実施するための形態】
【０００８】
以下本考案の形態を示す図面に基づき説明する。
【０００９】
図１に示す如く、既存の自動販売機・券売機から紙幣・硬貨識別機やコントローラー等を取り外し、それらと商品選択ボタンを組み合わせて新たに製作した紙幣・硬貨識別機および商品選択ボタンユニットを、既存のロッカー型自動販売機もしくは冷蔵庫・冷凍庫の庫内を改造した「ロッカーはめ込み型自動販売機」（実用新案登録第３２０８９０１号）に取り付けることにより、紙幣対応可能でかつ売上集計機能を備えたロッカー型自動販売機とする。
【００１０】
図２に示す如く、商品の販売に関しては、紙幣・硬貨識別機および商品選択ボタンユニットにおける紙幣挿入口または硬貨投入口より金銭を投入し、商品選択ボタンがテンキー型の場合、該当する扉番号を入力し確定すると当該扉が開き、商品の受け渡しを可能とする。
【００１１】
図３に示す如く、商品の販売に関しては、紙幣・硬貨識別機および商品選択ボタンユニットにおける紙幣挿入口または硬貨投入口より金銭を投入し、商品選択ボタンが押しボタン型の場合、該当する扉番号に対応するボタンを押すと当該扉が開き、商品の受け渡しを可能とする。
【００１２】
図４に示す如く、ロッカー扉にはそれぞれ扉番号が記されており、購入したい商品の入った扉番号をテンキーで入力し確定するか、対応するボタンを押すことで、該当する扉が開く。
【００１３】
図５に示す如く、金銭投入後、購入したい商品の入った扉番号を入力し確定するか、もしくは対応するボタンを押すと、指示機構から販売機構へ信号が送られ、指定した番号のロッカー扉が開く。
【００１４】
図６に示す如く、ユニット内部には自動販売機の正常稼働に必要なコントローラー等を擁し、またリモコンにより機械全体の売上個数・金額およびロッカー毎の売上個数・金額が確認できる。
【符号の説明】
【００１５】
1:紙幣・硬貨識別機および商品選択ボタンユニット取付型自動販売機
２:紙幣・硬貨識別機および商品選択ボタンユニット
３:ロッカー部分
４:紙幣挿入口
５:硬貨投入口
６:釣銭返却レバー
７:釣銭口
８:商品選択ボタン（テンキー型）
９:商品選択ボタン（押しボタン型）
１０:扉番号
１１：金庫
１２：コントロールボックス
１３：集中コントローラー
１４：リモコン
【図１】
0003216347.tif 000003
【図２】
0003216347.tif 000004
【図３】
0003216347.tif 000005
【図４】
0003216347.tif 000006
【図５】
0003216347.tif 000007
【図６】
0003216347.tif 000008
【手続補正書】
【提出日】平成30年3月23日(2018.3.23)
【手続補正１】
【補正対象書類名】実用新案登録請求の範囲
【補正対象項目名】全文
【補正方法】変更
【補正の内容】
【実用新案登録請求の範囲】
【請求項１】
自動販売機・券売機から自動販売機・券売機における金銭機構である紙幣・硬貨識別機および記憶機構であるコントローラーを取り外し、それらと商品選択ボタンを組み合わせて新たに製作した紙幣・硬貨識別機および商品選択ボタンユニットを、ロッカー型自動販売機もしくは冷蔵庫および冷凍庫の庫内に間仕切りを設け、さらには扉・ケーシングを取り付けることによりロッカーとすることで、冷蔵・冷凍装置を備えたロッカーはめ込み型自動販売機に取り付けることにより、紙幣対応可能でかつ売上集計機能を備えた紙幣・硬貨識別機および商品選択ボタンユニット取付型ロッカー型自動販売機。